(57)【要約】  モバイル電子デバイスの動作は、電話が第１位置にあるときに導入される動作特性に従って少なくとも部分的に制御される。モバイル電子デバイスの動作は、電子デバイスがユーザ入力に応答する方法を定義するテーマに従って少なくとも部分的に制御される。【選択図】図３
2007521722.tif 000002
【特許請求の範囲】
【請求項１】
ネットワーク通信用のモバイル通信デバイスであって、
タグのセット及び各タグに関連するネットワークアドレスを記憶するためのメモリと、
ユーザが前記タグの１つを選択することができ、且つ前記タグと関連する前記ネットワークアドレスへの接続を前記モバイル通信デバイスに開始させるユーザインターフェースと、
前記ネットワークから受信された通信に応答して前記タグに関連する前記ネットワークアドレスを自動的に変更するように構成された設定手段と、
を含むデバイス。
【請求項２】
前記デバイスは、前記モバイル通信デバイスの位置を推定するための位置推定器を更に含み、
前記デバイスは、前記ネットワークと通信して、前記位置推定器によって推定された位置に応じてタグに関連するネットワークアドレスを自動的に変更する情報を送信するように前記ネットワークに要求することができることを特徴とする請求項１に記載のモバイル通信デバイス。
【請求項３】
前記ユーザインターフェースは、ユーザが前記モバイル通信デバイスに前記情報を送信させることができるモードを有することを特徴とする請求項１又は２に記載のモバイル通信デバイス。
【請求項４】
前記デバイスは、前記通信を自動的に送信するように構成されていることを特徴とする請求項３に記載のモバイル通信デバイス。
【請求項５】
前記デバイスは、接続している前記ネットワークのサービスプロバイダを検出し、前記サービスプロバイダにおける変更に応答して前記通信を送信するように構成されていることを特徴とする請求項４に記載のモバイル通信デバイス。
【請求項６】
前記タグ及びそれに関連するネットワークアドレスは、ダイナミックサービスカードとして前記メモリ内に記憶されることを特徴とする請求項１から５のいずれか一項に記載のモバイル通信デバイス。
【請求項７】
前記タグに関連する前記ネットワークアドレスは、
電話番号と、
Ｅメールアドレスと、
ユニフォームリソースロケータと、
のうちの少なくとも１つを含むことを特徴とする請求項１から６のいずれか一項に記載のモバイル通信デバイス。
【請求項８】
少なくとも１つのモバイル通信デバイスと通信するように構成された通信ネットワーク手段であって、
タグのセット及び各タグに関連するネットワークアドレスを記憶するためのメモリと、
タグ及び関連するネットワークアドレスを包含する少なくとも１つの命令を前記少なくとも１つのモバイル通信デバイスに通信するように構成された通信手段と、
を含む通信ネットワーク手段。
【請求項９】
前記少なくとも１つの命令は、前記モバイル通信デバイス内に記憶されたタグに関連する前記ネットワークアドレスを、前記ネットワーク手段内に記憶されたタグに関連する前記ネットワークアドレスに自動的に変更するよう前記モバイル通信デバイスに命令することを特徴とする請求項８に記載の通信ネットワーク手段。
【請求項１０】
前記ネットワーク手段は付加的なメモリを更に含み、前記付加的なメモリは、前記モバイル通信デバイスの少なくとも幾つかのために該デバイスに関連するタグのリストを記憶するためのものであり、前記通信手段は、前記リストで識別された前記モバイル通信デバイスに関連する前記タグと関連する前記ネットワークアドレスを変更することだけを前記デバイスに命令するように構成されていることを特徴とする請求項８に記載のネットワーク手段。
【請求項１１】
前記ネットワーク手段は、前記モバイル通信デバイスの位置を推定するためのモバイル通信デバイス位置推定器を更に含み、前記通信手段は、前記位置推定器によって推定された位置に応じて、前記モバイル通信デバイス内に記憶されたタグに関連する前記ネットワークアドレスを自動的に変更することを前記モバイル通信デバイスに命令するように構成されていることを特徴とする請求項８に記載のネットワーク手段。
【請求項１２】
請求項１から７のいずれか一項に記載のモバイル通信デバイスと、請求項８から１１のいずれか一項に記載のネットワーク手段を含む通信システム。
【請求項１３】
モバイル通信デバイスとネットワークとを含み、ユーザ選択可能なタグに関連して記憶されたネットワークアドレスが前記デバイスのコンテクストに基づいて前記デバイスの１つによって自動的に更新される通信システム。
【請求項１４】
モバイル電子デバイスであって、
第１位置を第１の複数の動作特性に関連付けるためのメモリと、
前記モバイルデバイスが前記第１位置にある時を自動的に検出するための検出手段と、
前記モバイルデバイスが前記第１位置にある時に前記第１の複数の動作特性を導入するための導入手段と、
前記導入された動作特性に従って少なくとも部分的に前記電子デバイスの動作を制御するためのコントローラと、
を含むモバイル電子デバイス。
【請求項１５】
前記コントローラは、前記モバイルデバイスが前記第１位置にあるときに前記第１の複数の動作特性を自動的に導入するように構成されていることを特徴とする請求項１４に記載のモバイル電子デバイス。
【請求項１６】
前記モバイルデバイスがもはや前記第１位置にないときに、前記第１の複数の動作特性を導入解除するための手段を更に含むことを特徴とする請求項１４又は１５に記載のモバイル電子デバイス。
【請求項１７】
前記動作特性は、前記電子デバイスによって表示可能な出力の形式を少なくとも部分的に決定付けることを特徴とする請求項１４から１６のいずれか一項に記載のモバイル電子デバイス。
【請求項１８】
前記動作特性は、使用されるカラー、待ち受け画面、背景、又はスクリーンセーバのうちの少なくとも１つを定めることを特徴とする請求項１７に記載のモバイル電子デバイス。
【請求項１９】
警報デバイスを更に含み、前記動作特性が前記警報デバイスの少なくとも１つの動作特性を定めることを特徴とする請求項１７又は１８に記載のモバイル電子デバイス。
【請求項２０】
前記動作特性は、前記モバイル電子デバイスが使用するために利用可能なアプリケーションデータを適合させることを特徴とする請求項１７、１８、又は１９のいずれか一項に記載のモバイル電子デバイス。
【請求項２１】
前記動作特性は、ソフトウェアアプリケーションを含むことを特徴とする請求項２０に記載のモバイル電子デバイス。
【請求項２２】
前記動作特性は、ソフトウェアアプリケーションのための付加的なデータを含むことを特徴とする請求項２０又は２１に記載のモバイル電子デバイス。
【請求項２３】
前記メモリは、前記第１位置以外の第２位置を前記第１の複数の動作特性とは異なる第２の複数の動作特性に関連付けるように付加的に構成され、前記導入手段は、前記モバイルデバイスが前記第２位置にあるときに前記第２の複数の動作特性を導入するように付加的に構成されていることを特徴とする請求項１４から２２のいずれか一項に記載のモバイル電子デバイス。
【請求項２４】
ディスプレイ及びユーザ入力デバイスを有するユーザインターフェースを更に含み、前記第１の複数の動作特性はテーマが付けられており、電子デバイスがどのようにユーザ入力に応答するかを定義することを特徴とする請求項１４から２３のいずれか一項に記載のモバイル電子デバイス。
【請求項２５】
前記ディスプレイは、複数のユーザ選択可能なオプションを含むメニューを表示するためのものであり、前記ユーザ入力デバイスは、オプションを選択するために前記表示されたメニューをナビゲートするためのものであり、前記第１の複数の動作特性は第１メニューを定義し、第１テーマが導入されるときに前記第１メニューが表示可能であるようになることを特徴とする請求項２４に記載のモバイル電子デバイス。
【請求項２６】
前記動作特性は、前記ネットワークアドレスを識別するタグに関連するネットワークアドレスを定義することを特徴とする請求項１４から２５のいずれか一項に記載のモバイル電子デバイス。
【請求項２７】
前記ネットワークアドレスは、
電話番号と、
Ｅメールアドレスと、
ユニフォームリソースロケーション、
のうちの１つであることを特徴とする請求項２６に記載のモバイル電子デバイス。
【請求項２８】
前記タグはサービスを識別し、前記モバイル電子デバイスは、前記タグに関連する前記ネットワークアドレスを使用する前記サービスにコンタクトするように構成されていることを特徴とする請求項２６又は２７に記載のモバイル電子デバイス。
【請求項２９】
モバイル電子デバイスをカスタマイズする方法であって、
前記モバイルデバイスのための第１の複数の動作特性を第１位置に関連付ける段階と、
前記モバイル電子デバイスの位置を検出する段階と、
前記モバイル電子デバイスが前記第１位置に位置付けられるときに前記モバイル電子デバイスに前記第１の動作特性を導入する段階と、
前記導入された動作特性に従って少なくとも部分的に前記モバイル電子デバイスの動作を制御する段階と、
を含む方法。
【請求項３０】
請求項１４から２５のいずれか一項に記載のモバイル電子デバイスの動作を制御するための第１の複数の動作特性を含むデータ構造。
【請求項３１】
請求項２９に記載の前記方法を実行するためのプログラミング命令を含むコンピュータプログラム製品。
【請求項３２】
記録媒体に組み込まれる請求項３１に記載のコンピュータプログラム。
【請求項３３】
複数のユーザ選択可能なオプションを有する電子デバイスであって、
ディスプレイ及びユーザ入力デバイスを有するユーザインターフェースと、
第１テーマと第２テーマを定義するためのメモリであって、前記第１テーマは、前記第１テーマが前記電子デバイスによって導入されるときに前記ユーザによってオプションを選択するために電子デバイスがどのように制御されるかを定義し、前記第２テーマは、前記第２テーマが前記電子デバイスによって導入されるときに前記ユーザによってオプションを選択するためにどのように電子デバイスが制御されるかを定義するメモリと、
前記電子デバイスによる導入のため前記第１テーマ又は前記第２テーマを選択するための選択手段と、
前記テーマのうちの導入されたものに従って少なくとも部分的に前記電子デバイスの動作を制御するためのコントローラと、
を含む電子デバイス。
【請求項３４】
前記ディスプレイは複数のユーザ選択可能なオプションを含むメニューを表示するためのものであり、前記ユーザ入力デバイスはオプションを選択するために前記表示されたメニューをナビゲートするためのものであり、前記第１テーマが導入される場合に前記第１メニューが表示可能であり、前記第２テーマが導入される場合に前記第２メニューが表示可能であるように、前記第１テーマは第１のユーザ選択可能なメニューを定義し、前記第２テーマは第２の異なるユーザ選択可能なメニューを定義することを特徴とする請求項３３に記載の電子デバイス。
【請求項３５】
前記第１テーマは第１のユーザ選択可能なメニュー構造を含む第１の複数の動作特性を定義し、前記第２テーマは第２の異なるユーザ選択可能なメニュー構造を含む第２の複数の動作特性を定義することを特徴とする請求項３３又は３４に記載の電子デバイス。
【請求項３６】
前記動作特性は、前記電子デバイスによって表示可能な出力の形式を少なくとも部分的に決定することを特徴とする請求項３５に記載の電子デバイス。
【請求項３７】
警報デバイスを更に含み、前記動作特性は前記警報デバイスの少なくとも１つの動作特性を定義することを特徴とする請求項３６に記載の電子デバイス。
【請求項３８】
前記動作特性は、前記デバイスによって提供されるアプリケーションを少なくとも部分的に制御することを特徴とする請求項３４から３７のいずれか一項に記載の電子デバイス。
【請求項３９】
前記動作特性は、ソフトウェアアプリケーションを含むことを特徴とする請求項３８に記載の電子デバイス。
【請求項４０】
前記動作特性は、ソフトウェアアプリケーションのための付加的なデータを含むことを特徴とする請求項３８又は３９に記載の電子デバイス。
【請求項４１】
前記電子デバイスによる導入のための前記第１テーマ又は前記第２テーマを選択するための前記選択手段が、
前記第１テーマを第１位置に関連付けるための手段と、
前記電子デバイスの位置を決定するための手段と、
前記電子デバイスが前記第１位置に位置付けられるときに前記第１テーマを導入するための手段と、
を含むことを特徴とする請求項１４から４０のいずれか一項に記載の電子デバイス。
【請求項４２】
前記第２テーマを第１位置に関連付けるための手段と、
前記電子デバイスが前記第２位置に位置付けられるときに前記第２テーマを導入するための手段と、
を更に含むことを特徴とする請求項４１に記載の電子デバイス。
【請求項４３】
前記電子デバイスによる導入のための前記第１テーマ又は前記第２テーマを選択するための前記選択手段が、前記ユーザ入力デバイスに応答することを特徴とする請求項１４から４２のいずいれか一項に記載の電子デバイス。
【請求項４４】
複数のユーザ選択可能なオプションを有する電子デバイスが、オプションを選択するためにユーザによって制御される方式をカスタマイズする方法であって、
前記第１テーマが前記電子デバイスによって導入されるときに、オプションを選択するために電子デバイスがユーザによってどのように制御されるかを定義する第１テーマを提供する段階と、
前記第２テーマが前記電子デバイスによって導入されるときに、電子デバイスが前記ユーザによってオプションを選択するためにどのように制御されるかを定義する第２テーマを提供する段階と、
前記電子デバイスによる導入のため前記第１テーマ又は前記第２テーマを選択する段階と、
を含む方法。
【請求項４５】
請求項３３から４３のいずれか一項に記載の電子デバイスの動作を制御するための第１テーマを含むデータ構造。
【請求項４６】
請求項４４に記載の前記方法を実行するためのプログラミング命令を含むコンピュータプログラム。
【請求項４７】
記録媒体に組み込まれる請求項４６に記載のコンピュータプログラム製品。
【請求項４８】
複数のユーザ選択可能なオプションを有するモバイル電子デバイスであって、
ディスプレイ及びユーザ入力デバイスを有するユーザインターフェースと、
第１テーマを第１位置に関連付けるためのメモリであって、前記第１テーマは、前記第１テーマが前記電子デバイスによって導入されるときに、オプションを選択するために前記電子デバイスが前記ユーザによってどのように制御されるかを定義するメモリと、
前記モバイルデバイスが前記第１位置にある時を自動的に検出するための検出手段と、
前記モバイルデバイスが前記第１位置にあるときに、前記電子デバイスによる導入のための前記第１テーマを選択するための選択手段と、
導入されたテーマに従って少なくとも部分的に前記電子デバイスの動作を制御するためのコントローラと、
を含むモバイル電子デバイス。
【請求項４９】
複数のユーザ選択可能なオプションを有する電子デバイスが、オプションを選択するためにユーザによって制御される方式をカスタマイズする方法であって、
前記第１テーマが前記電子デバイスによって導入されるときに、オプションを選択するために前記電子デバイスがユーザによってどのように制御されるかを定義する第１テーマを提供する段階と、
前記モバイル電子デバイスが第１位置にある時を検出する段階と、
前記モバイル電子デバイスが前記第１位置に位置付けられるときに前記第１テーマを導入する段階と、
を含む方法。
【発明の詳細な説明】
【技術分野】
【０００１】
本発明の実施形態は、モバイル携帯電話などの電子デバイスのカスタマイズに関する。
【背景技術】
【０００２】
ユーザ機器及び／又はそのシステムに関連する他のノードなどの２つ又はそれ以上のエンティティ間の通信を可能にする多様な通信システムが今日使用されている。
【０００３】
ユーザ端末又は他のノードに無線通信を提供する通信システムが知られている。無線システムの例は、公衆陸上移動ネットワーク（ＰＬＭＮ）である。ＰＬＭＮは通常、基地トランシーバ局（ＢＴＳ）内、又は無線インターフェースを介した移動局（ＭＳ）などの類似のアクセスエンティティユーザ装置（ＵＥ）内の携帯ネットワークである。通信に必要とされる装置の動作は、通常、これら自体を相互接続することができる１つ又はそれ以上の制御エンティティによって制御される。ＰＬＭＮを他のネットワークに接続するために、１つ又はそれ以上のゲートウェイノードが備えられる。他のこのようなネットワークの例は、別の携帯ネットワーク、公衆交換電話網（ＰＳＴＮ）、及びＩＰ（インターネットプロトコル）ベースのネットワークなどのパケット交換データネットワークである。ユーザ装置と通信システムの他の要素との間の通信は、該システムにおいて通信が処理される「ルール」を定めた適切な通信プロトコルに基づく。
【０００４】
第３世代（３Ｇ）無線システムでは、モバイルユーザに対して種々の通信サービスを処理するために様々な定義されたサーバーが存在する。これらは、ＣＳＣＦとして知られるコア状態制御機能を提供するサーバーを含む。制御機能はまた、加入者管理サーバー（ＨＳＳ）などのエンティティ及び種々のアプリケーションサーバーによるアプリケーションによって提供することができる。ＨＳＳは通常、ユーザのプロファイルを恒久的に記憶し認証時に使用するためのものである。例えば、第３世代パートナーシッププロジェクト（３ＧＰＰ）によって指定されるように、３Ｇのリリース５アーキテクチャでは、これらのエンティティは、ＩＰマルチメディアサブシステム（ＩＭＳ）内に位置付けて見出すことできる。
【０００５】
ＩＭＳネットワークは、３Ｇアーキテクチャのハブに位置し、従来の音声電話とマルチメディアサービスの両方を処理するＩＰベースのネットワークをサポートすることができる。３ＧＰＰは、３Ｇネットワークのためのコアセッション信号方式プロトコルとしてセッション開始プロトコル（ＳＩＰ）を選択している。ＳＩＰは、インターネットエンジニアリングタスクフォース（ＩＥＴＦ）によって開発された。関心があれば、ｈｔｔｐ：／／ｗｗｗ．３ｇｐｐ．ｏｒｇ／ｆｔｐ／ｓｐｅｃｓ／ｌａｔｅｓｔ−ｄｒａｆｔｓ／２４２２９−２０１．ｚｉｐにある、「ＳＩＰ及びＳＤＰに基づくＩＰマルチメディアコア制御プロトコル」と題されたＳＩＰの観点からのＩＭＳネットワークの基本動作を説明する３ＧＰＰ仕様２４．２２９を見ることができる。ＳＩＰは、ソースから送られたメッセージの全てに対して、送られたメッセージの受信を確認する宛先からの関連応答が存在する意味で要求／応答型プロトコルである。
【０００６】
例えば３Ｇネットワークにおいて、ソースである第１ユーザが自分のモバイル端末をスイッチオンする場合、端末を完全に接続可能にする前に第１ユーザはネットワークに自分のユーザＩＤ又はアドレスを登録しなければならない。これは、端末からＩＭＳにユーザのアドレスの詳細を含むＳＩＰ「レジスタ」メッセージを送ることによって行われる。ＩＭＳは、本明細書ででは「レジストラ」と呼ばれるサービング呼出し状態制御機能（Ｓ−ＣＳＣＦ）を使用してこの情報を受信し処理する。この登録情報は、ユーザアドレス、位置、端末容量、及びユーザの可用性などのユーザのステータスを含むことができる。ＩＭＳは、ＳＩＰに従って適切な肯定応答メッセージ（例えば２００  ＯＫメッセージ）を送ることによって登録を肯定応答する。また、前の登録が期限切れになった場合、又はユーザのステータスに変更がある場合には、何時でも後続の登録を行うことができる（再「登録」）。ユーザが、音声呼出し又はテキストメッセージの送信などの別のユーザとのセッションをセットアップしたい場合には、ＳＩＰの下でセッションネゴシエーションも実行される。
【０００７】
アプリケーションサーバー（ＡＳ）は、インスタントメッセージング、ローカルトラフィックレポート、及び会議機能などのＩＭＳを介したサービスを提供することができる。ＡＳは、ＩＭＳネットワーク内にあっても、又はその外部にあってもよい。通常はＡＳは、サポートされるサービスがサードパーティによって提供される場合には外部にある。例えば、ローカルトラフィックレポートを提供しているＡＳは、そのサービスを予約している何れかのユーザのステータスに関する最新の情報を必要とする。上述のように、ステータス情報は、ＳＩＰ再登録メッセージを使用して更新することができる。従って、このステータス情報を更に要求するＡＳは、ＳＩＰ  ＳＵＢＳＣＲＩＢＥメッセージを使用して、ＡＳによって提供されるインスタントメッセージングサービスを予約しているユーザが送ったＲＥＧＩＳＴＥＲメッセージを予約する。ＩＭＳは、これらのＳＵＢＳＣＲＩＢＥ（予約）メッセージをログし、関連するＲＥＧＩＳＴＥＲ（登録）メッセージを受信する度にＡＳへＮＯＴＩＦＹ（通知）メッセージを送出する。その結果、ＡＳは、この情報を使用してそのトラフィックレポーティングサービスを実施することができる。ＳＵＢＳＣＲＩＢＥ（予約）／ＮＯＴＩＦＹ（通知）メカニズムに関する更なる情報は、ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｓｉｐ−ｅｖｅｎｔｓ−０５．ｔｘｔで見つけることができる「ＳＩＰ−特定事象通知」と題されたＩＥＴＦインターネットドラフトで見ることができる。
【０００８】
ステータス情報の１つの特定の例は、プレゼンス情報である。プレゼンスサービスに予約しているユーザ又はアプリケーションサーバーは、別のユーザが呼出しを受け取る能力及び可用性を決定することができる。例えば、ＰＳＴＮ構成では、プレゼンスの概念は、オンライン（呼出し中）又はオフライン（話中）であることを表示する以外にはほとんど拡張されていない。しかしながら、ＳＩＰをサポートしているシステムにおけるプレゼンスは、「オフィス内におり全呼出しに応じることが可能」、「家庭内におり私用呼出しにのみ応じることが可能」、及び「呼出し中」（又は少なくともそのように見える）などといった、種々の表示を取ることができる。このプレゼンス情報によって、ユーザが呼出しを試みる前に別のユーザの可用性を確かめることが可能となる。上述のような他のステータス情報と同様に、これは、ＲＥＧＩＳＴＥＲ（登録）メッセージでネットワークに中継される。
【０００９】
プレゼンス情報は、呼出しを行おうとする前に別のユーザの可用性をユーザが確認可能な情報を提供するが、例えば、ローカルタクシーオペレータなどのローカルサービスに関係するユーザ情報を提供する、ユーザ装置に関するコンテクスト依存情報の問題に対してはどのような支援も提供しない。このような最初に提供される情報は、所与の場所内では有効であるが、その場所の外部ではこのサービスにリンクされた情報は、不正確であるか又は効率的に利用できない可能性がある。また、全国的に機能するサービス番号も極めてまれであり、シネマ予約のような幾つかの全国的なチケット予約システムが存在するが、これらは、センター番号に電話し、ローカルサービスに達する前に一連のフィルタリングアクションを通過することが必要である。ユーザは通常、このようなシステムが短時間内でローカルサービスを配信できない場合には不満を感じる。更に、発明者の知る限りでは、ワールドワイドベースで存在し動作するサービス番号は存在しない。
【００１０】
コンテクスト依存のユーザ機器又はモバイル電子デバイスの動作特性又は構成要素の調整は、幾つかの文献で説明されている。
【００１１】
ＵＳ５４７９４７６は、音声ボリューム、呼出し音タイプ、及びキー音、警告音、光、及び呼出し転送などの機能がオン又はオフであるかどうかといった複数のユーザ調整可能な動作特性を有するモバイル携帯電話を記載している。ユーザは、動作特性のプリセット値の複数のグループから１つを選択することによって電話の動作特性を一斉に調整することができる。
【００１２】
ＵＳ２００３／００１７８４８は、各々が固有のテーマを有する幾つかの種々の交換可能なカバーの１つを取り付けることによって電子デバイスを個人専用にすることを記載している。各カバーは、電子デバイスにおいてテーマ指向の特徴を提供する内蔵型電子構成部品を有する。テーマ指向の特徴は、呼出し音、ゲーム、スクリーンセーバ、及びデフォルトの音声メールグリーティングを含むことができる。
【００１３】
内蔵型電子構成部品はまた、電子デバイスに対して、名前、電話番号、資源サーバー仕様、Ｅメールアドレス、及び動画、音声、又は映像などのメディアコンテンツを転送することができる。電子デバイスの交換カバーは、電子デバイスのテーマを変更する。
【００１４】
これらの文献は、デバイスによる表示方法及びデバイスで使用可能なデータを変更することにより、モバイル携帯電話又は他のユーザ装置などの電子デバイスのカスタマイズを記載している。
【００１５】
しかしながら、これらの文献では、例えば種々の場所に移動するユーザに対しローカルサービス情報などのコンテクスト依存の情報を提供することに関する問題を考察しておらず、又は対処していない。
【００１６】
該文献は更に、モバイル電子デバイスがより小型で更に機能が豊富になり、使用が益々難しくなった場合のモバイル電子デバイスにおける問題に対処していない。特に、デバイスのメニューは複雑になりナビゲートするのが困難になっている。これは、全てのメニューオプションが最小数のキーストロークでアクセス可能であるように、メニューが「フラットな」階層形式で設計される場合に更に悪化する。電子デバイスのコンテクスト依存動作は、モバイル電子デバイスの動作を助けることができる。
【００１７】
【特許文献１】ＵＳ５４７９４７６公報
【特許文献２】ＵＳ２００３／００１７８４８公報
【発明の開示】
【００１８】
本発明の実施形態の目的は、上述の問題に対処し、又は少なくとも軽減することである。
本発明の第１の態様によれば、ネットワーク通信用のモバイル通信デバイスであって、タグのセット及び各タグに関連するネットワークアドレスを記憶するためのメモリと、ユーザがタグの１つを選択することができ、且つタグと関連するネットワークアドレスへの接続をモバイル通信デバイスに開始させるユーザインターフェースと、ネットワークから受信された通信に応答してタグに関連するネットワークアドレスを自動的に変更するよう構成された設定手段とを含むデバイスが提供される。
【００１９】
デバイスは、モバイル通信デバイスの位置を推定するための位置推定器を更に含むことができ、前記デバイスは、前記ネットワークと通信して、位置推定器によって推定された位置に応じてタグに関連するネットワークアドレスを自動的に変える通信を送信するように前記ネットワークに要求することができる。
【００２０】
ユーザインターフェースは、ユーザはモバイル通信デバイスに前記通信を送信させることができるモードを有することができる。
【００２１】
デバイスは、前記通信を自動的に送信するよう構成されるのが好ましい。
【００２２】
デバイスは、接続しているネットワークのサービスプロバイダを検出し、サービスプロバイダでの変更に応じて前記通信を送信するよう構成されているのが好ましい。
【００２３】
タグ及びこれに関連するネットワークアドレスは、ダイナミックサービスカードとしてメモリ内に記憶されるのが好ましい。
【００２４】
タグに関連するネットワークアドレスは、電話番号、Ｅメールアドレス、ユニフォームリソースロケータのうちの少なくとも１つを含むことができる。
【００２５】
本発明の第２の態様によれば、少なくとも１つのモバイル通信デバイスと通信するよう構成された通信ネットワーク手段が提供され、前記ネットワーク手段は、タグのセット及び各タグに関連するネットワークアドレスを記憶するためのメモリと、少なくとも１つのモバイル通信デバイスと通信するように構成された通信手段であって、少なくとも１つの命令がタグと関連するネットワークアドレスを包含する通信手段とを含む。
【００２６】
少なくとも１つの命令は、モバイル通信デバイス内に記憶されたタグに関連するネットワークアドレスを、ネットワーク手段内に記憶されたタグに関連するネットワークアドレスに自動的に変更するようにモバイル通信デバイスに命令することができる。
【００２７】
ネットワーク手段は、付加的なメモリを更に含むことができ、この付加的なメモリは、モバイル通信デバイスの少なくとも幾つかのために該デバイスに関連するタグのリストを記憶するためのものであり、通信手段は、リストで識別されたモバイル通信デバイスに関連するタグと関連するネットワークアドレスを変更することだけを該デバイスに命令するように構成されている。
【００２８】
ネットワーク手段は、モバイル通信デバイスの位置を推定するためのモバイル通信デバイス位置推定器を更に含むことができ、通信手段は、位置推定器によって推定された位置に応じて、モバイル通信デバイス内に記憶されたタグに関連するネットワークアドレスを自動的に変更するようモバイル通信デバイスに命令するよう構成されている。
【００２９】
通信システムは、上述されたようなモバイル通信デバイスと、上述されたようなネットワーク手段とを含むことができる。
【００３０】
本発明の第３の態様によれば、通信システムが提供され、この通信システムは、モバイル通信デバイスとネットワークとを含み、ユーザ選択可能なタグに関連して記憶されたネットワークアドレスがデバイスコンテクストに基づいてデバイスの１つによって自動的に更新される。
【００３１】
本発明の第４の態様によれば、モバイル電子デバイスが提供され、これは、第１位置を第１の複数の動作特性と関連付けるためのメモリと、モバイルデバイスが第１位置にあるときを自動的に検出するための検出手段と、モバイルデバイスが第１位置にあるときに第１の複数の動作特性を導入するための導入手段と、導入された動作特性に従って少なくとも部分的に電子デバイスの動作を制御するためのコントローラとを含む。
【００３２】
本発明の別の態様によれば、モバイル電子デバイスをカスタマイズする方法が提供され、この方法は、モバイルデバイスのための第１の複数の動作特性を第１位置と関連付ける段階と、モバイル電子デバイスの位置を検出する段階と、モバイル電子デバイスが第１位置に位置付けられるときにモバイル電子デバイスに第１動作特性を導入する段階と、導入された動作特性に従って少なくとも部分的にモバイル電子デバイスの動作を制御する段階とを含む。
【００３３】
本発明の更なる態様によれば、複数のユーザ選択可能なオプションを有する電子デバイスが提供され、この電子デバイスは、ディスプレイ及びユーザ入力デバイスを有するユーザインターフェースと、第１テーマと第２テーマを定義するためのメモリであって、第１テーマは該第１テーマが電子デバイスによって導入されるときにオプションを選択するために電子デバイスがどのようにユーザ入力によって制御されるかを定義し、第２テーマは、該第２テーマが電子デバイスによって導入されるときにオプションを選択するために電子デバイスがユーザ入力によってどのように制御されるかを定義するメモリと、電子デバイスによる導入のため前記第１テーマ又は前記第２テーマを選択するための選択手段と、テーマのうちの導入されたものに従って少なくとも部分的に電子デバイスの動作を制御するためのコントローラを含む。
【００３４】
本発明の別の態様によれば、複数のユーザ選択可能なオプションを有する電子デバイスが、オプションを選択するためにユーザによって制御される方式をカスタマイズする方法が提供され、この方法は、第１テーマが電子デバイスによって導入されるときにオプションを選択するために電子デバイスがユーザによってどのように制御されるかを定義する第１テーマを提供する段階と、第２テーマが電子デバイスによって導入されるときにオプションを選択するために電子デバイスがユーザによってどのように制御されるかを定義する第２テーマを提供する段階と、電子デバイスによる導入のため第１テーマ又は第２テーマを選択する段階とを含む。
【００３５】
本発明の別の態様によれば、複数のユーザ選択可能なオプションを有するモバイル電子デバイスが提供され、これは、ディスプレイ及びユーザ入力デバイスを有するユーザインターフェースと、第１テーマを第１位置に関連付けるためのメモリであって、第１テーマは該第１テーマが電子デバイスによって導入されるときにオプションを選択するために電子デバイスがユーザ入力によってどのように制御されるかを定義するメモリと、モバイルデバイスが第１位置にあるときを自動的に検出するための検出手段と、モバイルデバイスが第１位置にあるときに電子デバイスによる導入のための前記第１テーマを選択するための選択手段と、導入されたテーマに従って少なくとも部分的に電子デバイスの動作を制御するためのコントローラとを含む。
【００３６】
本発明の別の態様によれば、複数のユーザ選択可能なオプションを有する電子デバイスがオプションを選択するためにユーザによって制御される方式をカスタマイズする方法が提供され、この方法は、第１テーマが電子デバイスによって導入されるときにオプションを選択するために電子デバイスがユーザによってどのように制御されるかを定義する第１テーマを提供する段階と、モバイル電子デバイスが第１位置にある時を検出する段階と、モバイル電子デバイスが第１位置に位置付けられるときに第１テーマを導入する段階とを含む。
【００３７】
本発明をより良く理解するために、単に例証としての目的で添付図面を参照する。
【発明を実施するための最良の形態】
【００３８】
図１は、ユニバーサルモバイルテレコミュニケーションシステム（ＵＭＴＳ）の下で動作する典型的な第３世代（３Ｇ）無線テレコミュニケーションシステムを示す。このシステムのハブでは、ネットワークの２つ又はそれ以上のユーザ間の呼出しをルート指定し、他のネットワーク機能を提供するＩＰマルチメディアシステム（ＩＭＳ）１００ネットワークである。モバイル端末１１１、ラップトップ１１２、及び携帯情報端末（ＰＤＡ）１１３などのユーザ機器又はモバイル電子デバイスの例が、３Ｇモバイルコアネットワーク１１０に接続されて示されている。ＩＭＳシステム１００に接続されたモバイルコアネットワーク１１０が示されている。更に、公衆交換電話網（ＰＳＴＮ）１３０に接続されたＩＭＳシステムが示されている。公衆交換電話網の電話１３１に接続されたＰＳＴＮネットワーク１３０が示されている。インターネット１２０などのＩＰベースのネットワークに接続されたＩＭＳ１００が示されている。アプリケーションサーバー１２１及びアプリケーションサーバー１２２に接続されたＩＰネットワーク１２０が示されている。コンピュータ端末１２３に接続されたＩＰネットワーク１２０が更に示されている。
【００３９】
ＩＭＳは、音声呼出しとマルチメディア呼出しの両方を含むことができる、これらの呼出し処理するためにＩＰベースのネットワークを使用する。
【００４０】
ＩＭＳネットワークは、ユーザ１１１、１１２、１１３とＰＳＴＮ１３０及び外部のＩＰベースのネットワーク１２０のような他のネットワークとの間の３Ｇシステムのゲートウェイとして効率的に機能する。モバイル端末とＩＭＳネットワークの他のユーザとの間、及びＩＭＳネットワーク内での信号伝達は、セッション開始プロトコル（ＳＩＰ）の下で行われる。メッセージに対する以下の全ての言及は、特に明記しない限りＳＩＰメッセージであり、大文字で示される。
【００４１】
通信システムは、ＩＭＳサブシステム１００に付加された３Ｇモバイルコアネットワークに関して説明しているが、ＩＰネットワークと接続して同じ効果をもたらすことができるどのような無線ネットワークも、本発明の実施形態を提供するのに使用されるものとして考えることができる。以下の実施例は、移動局電子デバイス１１１を使用する関連で説明されるが、同じ動作機能を包含するどのようなユーザ装置又はモバイル通信デバイスでも本発明の方法を利用することができる。
【００４２】
図２は、特定のテーマを導入することによって動作特性の特定のセットを有するようカスタマイズすることができるモバイル電子デバイス１１１の実施例を示す。
【００４３】
テーマは、モバイル電子デバイスの動作特性のセットを定めるデータ及び／又はプログラミング命令である。モバイル電子デバイスがあるテーマを導入すると、そのテーマの動作特性が導入される。
【００４４】
テーマは、導入するデバイスの形態に影響を与えることができる。この文脈での「形態」とは、導入するデバイスによる表示の方法を意味し、審美的態様、例えばカラースキーム、待ち受け画面、スクリーンセーバ及びアイコン、更に、例えばデバイスが使用する警報のタイプ及びボリュームなどの動作態様を含む。
【００４５】
テーマは、導入するデバイスのコンテンツに影響を与えることができる。この文脈での「コンテンツ」とは、デバイスで使用可能なデータを意味し、例えばゲームなどのソフトウェアアプリケーション、及び、例えば既存のソフトウェアアプリケーションで使用されるリマインダー／カレンダーメモ、コンタクト情報、ＵＲＬ、ブックマーク、その他などのアプリケーションデータを含む。
【００４６】
テーマは、導入するデバイスの制御に影響を与えることができる。この文脈での「制御」とは、デバイスが機能、設定、又はアプリケーションなどのオプションを選択するためにユーザ入力によって制御される方法を意味する。このような制御テーマの導入により、例えばデバイスのメニュー構造を修正することができる。これは、ユーザの特定のオプションのアクセス可能性を向上させ、又はオプションを追加又は取り去ることができる。
【００４７】
メニュー構造の修正は、メニューに対する階層構造に変更が生じる可能性があり、その結果、ユーザは、第１テーマが導入される場合は特定のメニューオプションを選択するために第１の一連のキーストロークを行わなければならず、第２テーマが導入される場合には同じメニューオプションを選択するために第２の異なる一連のキーストロークを行わなければならない。デバイスが第１テーマを導入した場合に使用される可能性がある幾つかのオプションは、より少ないキーストロークで選択できるようにメニュー構造の高いレベルまで引き上げることができ、一方、デバイスが第１テーマを導入した場合に使用される可能性がほとんどない他のオプションは、メニュー構造の低いレベルまで下げることができる。
【００４８】
メニュー構造の修正はまた、種々のテーマについてのメニュー構造がユーザによって選択するのに利用可能な種々のオプションを有するように、異なるメニューコンテンツとなる可能性がある。
【００４９】
従って、モバイル電子デバイスに常駐するアプリケーションは、メニュー構造を適用することによってテーマを導入する際にユーザに対し非表示にしておくことができる。
【００５０】
図２は、モバイル電子デバイス１１１、この実施例ではモバイル携帯電話を示し、メモリ２１２、コントローラ２１４、位置検出器２１６、警報デバイス２１８、無線送受信器２２０、及びユーザインターフェース２３０を含む。
【００５１】
コントローラ２１４は、メモリ２１２から読み込み且つメモリ２１２に書き込むように接続されている。コントローラ２１４は、ユーザインターフェース２３０、位置検出器２１６、及び無線送受信器２２０の各々からの入力を受信するよう接続されている。コントローラ２１４は、ユーザインターフェース２３０、警報デバイス２１８、及び無線送受信器２２９に出力を供給するよう接続されている。コントローラ２１４は、プログラム式プロセッサであり、上述のようにモバイル電子デバイスの動作は、例えば記録担体上に具現化されたコンピュータプログラムからプロセッサにロードされるプログラム命令によって決定される。
【００５２】
ユーザインターフェース２３０は、ディスプレイ２３２とユーザ入力デバイス２３４とを含む。ディスプレイは、コントローラ２１４によって制御され、ユーザがモバイル電子デバイス１１１を動作させるのを可能にするメニューを表示する。メニューは、複数のユーザ選択可能なオプションを含む階層構造である。ユーザ入力デバイス２３４を用いて、階層構造を介してナビゲートし、要求されるオプションを見つけて選択することができる。
【００５３】
警報デバイス２１８は、コントローラ２１４によって制御され、ユーザの注意を引く。警報デバイスは、呼出し音を生成できるラウドスピーカーとすることができ、又はモバイル電子デバイス２１０を振動させることができるバイブレータであってもよい。
【００５４】
位置検出器２１６は、モバイル電子デバイスの位置を自動的に検出できる。これは、例えば、全地球測位システム（ＧＰＳ）チップとすることができる。或いは、これは、セル（セルＩＤ）の識別情報（セルＩＤ）を割り出すことができ、無線送受信器２２０で受信された通信からモバイル携帯電話１１１が位置特定される。この検出器は、検出された位置をコントローラ２１４に提供する。この位置は、セルＩＤなどの相対位置、又はグリッド基準などの絶対位置とすることができる。
【００５５】
本発明の幾つかの実施形態の位置検出器２１６は、位置定義ネットワークへの登録に基づいてモバイル電子デバイスの場所を決定する。
【００５６】
メモリ２１２は、テーマのデータベースを包含する。データベースは、第１テーマ及び第２テーマを含む複数のテーマを記憶する。
【００５７】
第１テーマは、モバイル電子デバイス２１０が第１テーマを導入するときに導入されるモバイル電子デバイスの動作特性の第１セットを定義する。第２テーマは、モバイル電子デバイス２１０が第２テーマを導入するときに導入されるモバイル電子デバイスの動作特性の第２の異なるセットを定義する。
【００５８】
データベースはまた、第１位置識別子及び第２位置識別子を含む複数の位置識別子を記憶する。第１及び第２位置は互いに排他的である。
【００５９】
データベースは、第１位置識別子と第１テーマとの間の第１アソシエーションと、第２位置識別子と第２テーマとの間の第２アソシエーションとを有する。
【００６０】
第１位置識別子又は複数の第１位置識別子の１つを使用するデータベースのインテロゲーション（ｉｎｔｅｒｒｏｇａｔｉｏｎ）では第１テーマを返し、第２位置識別子又は複数の第２位置識別子の１つを使用するインテロゲーションでは第２テーマを返す。
【００６１】
モバイル電子デバイス１１１は、第１位置にあるときに第１テーマを自動的に導入し、第２位置にあるときに第２テーマを自動的に導入するように動作可能である。従って、モバイル電子デバイス１１１の形式及び／又はコンテンツ及び／又は制御を位置に対して最適化することができる。特に、メニューは位置に対して最適化することができる。
【００６２】
コントローラ１４は、位置検出器２１６から位置識別子を受信し、メモリ２１２内のデータベースにインテロゲート（ｉｎｔｅｒｒｏｇａｔｅ）する。
【００６３】
モバイル電子デバイス１１１が第１位置に位置付けられる場合、データベースは、コントローラ２１４によって自動的に導入される第１テーマを返す。その結果、電子デバイス１１１の動作は、第１テーマの導入された動作特性に従って少なくとも部分的に制御される。モバイル電子デバイスが第１位置に位置付けられない場合には、第１テーマは導入されず、デフォルトテーマが使用され続ける。
【００６４】
モバイル電子デバイス１１１が第２位置に位置付けられる場合、データベースは、コントローラ２１４によって自動的に導入される第２テーマを返す。その結果、モバイル電子デバイス１１１の動作は、第２テーマの導入された動作特性に従って少なくとも部分的に制御される。モバイル電子デバイス１１１が第２位置に位置付けられない場合には、第２テーマは導入されず、デフォルトテーマが使用され続ける。
【００６５】
モバイル電子デバイス１１１は、現在導入されているテーマに関連付けられた位置から離れるときには、導入されたテーマを自動的に導入解除するよう動作可能である。コントローラ２１４は、位置検出器２１６からの位置識別子を受信し、メモリ２１２内のデータベースにインテロゲートする。モバイル電子デバイス１１１が、例えば、第１テーマを導入している間に第１位置を離れた場合には、データベースはヌル値を戻し、第１テーマに代わってデフォルトテーマが導入される。モバイル電子デバイス１１１が、例えば、第１テーマを導入している間に第１位置を離れて第２位置に入った場合には、データベースは、第１テーマに代わって導入される第２テーマを返す。
【００６６】
モバイル電子デバイス１１１は、位置の代わりにユーザ動作に応答してテーマを導入するよう付加的に又は代替的に動作可能とすることができる。例えば、ユーザは、メニューから複数の利用可能なテーマの１つを選択できる。
【００６７】
モバイル電子デバイス１１１は、位置の代わり又は位置に加えて時間に応答してテーマを導入するよう付加的に又は代替的に動作可能とすることができる。例えば、ある時間期間又は時間フレームでは、あるテーマを返すことができる。
【００６８】
無線送受信器２２０を用いて、モバイル電子デバイス１１１にテーマをダウンロードすることができる。テーマは、データ構造２２２としてダウンロードされる。
【００６９】
ここで、電子デバイス１１１の例示的なアプリケーションについて説明する。ユーザがＤｉｓｎｅｙ  Ｗｏｒｌｄ（商標）のようなテーマを有する遊園地を入力するときには、ユーザのモバイル携帯電話は、遊園地のテーマでプッシュされるか、又は遊園地のテーマをダウンロードするよう指示される。遊園地のテーマは、例えば電話用のＭｉｃｋｅｙ  Ｍｏｕｓｅ（商標）待ち受け画面、呼出し音としてのＬｉｔｔｌｅ  Ｍｅｒｍａｉｄ（商標）からのテーマ音、ユーザが賞品を獲得できるＤｏｎａｌｄ  Ｄｕｃｋ（商標）ゲームを含むゲーム、及びその日（及び恐らくはその数日後まで）に利用可能な特別なアトラクション並びにショーの全スケジュール、更に電話のカレンダーアプリケーションに記憶される人気の出そうなアトラクションのリストから成る。ユーザが遊園地を退場すると、電話はユーザに電話の元のテーマに戻すかどうかを指示する。シーズンチケットホルダーが遊園地に入ると、ユーザの電話は、入場していることを感知し、待ち受け画面、カラースキーム、ゲーム、リマインダー、呼出し音、その他から成るその週のテーマをダウンロードする。ユーザが退場すると、ユーザは、新しいテーマを保存するか削除するか指示される。これらの場合の両方において、新しいコンタクト（連絡先）を電話番号の電話リストに順番通りに又は一番上に加えることが可能である。これらの新しいコンタクトは、「遺失物」部門、情報センター、及び救急センターを含むことができる。電話のユーザインターフェースはまた、幾つかのアプリケーション又はデータを更にアクセス可能にするよう変えることができる。
【００７０】
本発明の別の実施例をダイナミックコンタクトカード（ＤＣＣ）又はダイナミックサービスカード（ＤＳＣ）内のコンテンツに関して説明することができる。このような実施例では、テーマは、ダイナミックサービスカードのコンテンツに影響を与える、例えばニューヨーク又はヘルシンキなどの位置である。ダイナミックコンタクトカードはまた、「プレゼンス拡張コンタクト」としても知られ、可用性、雰囲気、位置、画像、その他などにより信頼できる小グループ間で情報を共用するためのサービス及びユーザインターフェース概念である。これらは、近接したコンタクトについてのモバイル認識を生成し、電話帳を現在の社会的コンタクトが反映されたものにする。ダイナミックコンタクトカードは、発行者によって決定された情報の固定セットを包含し（これらは受信者によって変えることができるが）、これらはコンテクスト依存ではない。ダイナミックコンタクトカードに包含される情報のセットは、テキスト及びロゴの４０文字に制限され、電話番号、Ｅメールアドレス、物理アドレスなどのデータフィールドを包含しない。
【００７１】
ダイナミックサービスカード（ＤＳＣ）は、ディスプレイデータがコンテクスト又はテーマに依存する場合のサービスの予め定められたセットに関する。このコンテクスト依存性は位置とすることができるが、本発明の他の実施形態では、言語、サービスプロバイダ、又はサービス仲介者などのパラメータを使用できる。位置依存のテーマ／コンテクストが影響を及ぼしたディスクリートサービスカードの実施例が図３に示されている。
【００７２】
図３は、サービスコンタクトカードとしても知られているダイナミックサービスカードを特徴として備える本発明の実施形態で示している。この実施例で位置検出器２１６によって決定された位置にあるヘルシンキ３０２ｂのユーザ装置又は電子デバイス１１１は、モバイル電子デバイス１１１の無線送受信器２２９を使用してモバイル電子デバイス１１１の電話帳内の一連のダイナミックサービスカード３５１をダウンロードしている。電話帳は、モバイル電子デバイス１１１のメモリ２１２内に記憶される。電子デバイスは、ヘルシンキテーマのサービスをダウンロードし、又はこれが通知されたと考えることができる。ダイナミックサービスカード３５１の実施例、すなわち電話又は通信チャンネルリンクは、タクシーサービス３０１、医師サービス３０３、及びＶｉｓａ（登録商標）クレジットカードサービス３０５を示すものである。ダイナミックサービスカード３５１は、アプリケーションサーバー上にオリジナルのカードを記憶するダイナミックサービスカードプロバイダ３０９から提供される。例えば、ダイナミックサービスカードを提供できる組織は、Ｖｏｄａｆｏｎｅ（登録商標）、Ｎｏｋｉａ（登録商標）、Ｅｌｌｅ（登録商標）、Ｓｔａｒ  Ａｌｌｉａｎｃｅ（登録商標）である。
【００７３】
本発明の幾つかの実施形態でのユーザ又はユーザ装置は、モバイル電子デバイス１１１内に記憶されたユーザ定義パラメータ３０７によって提供されるユーザの好みに基づいて、種々のダイナミックサービスカード３５１のダウンロードを選択する。これらのユーザ定義パラメータは、幾つかの実施形態ではモバイル電子デバイス１１１のメモリ２１２内に記憶される。
【００７４】
従って、ユーザが第１位置３０２ｂ、例えばヘルシンキにいる場合には、ユーザのタクシーカードサービス、医師カードサービス、及びＶｉｓａ（登録商標）クレジットカードサービスのユーザ定義の選択は、ローカルのヘルシンキタクシーサービスダイナミックサービスカード３０１ｂ、ローカルのヘルシンキ医師のサービスダイナミックサービスカード３０３ｂ、及びローカルのヘルシンキＶｉｓａ（登録商標）クレジットカードコンタクトダイナミックサービスカード３０５ｂを提供する。
【００７５】
ユーザが第１位置３０２ｂから出て第２位置３０２ａ、この実施例ではニューヨークに移動すると、ユーザは、サービスの予め定められたセットに保存されていたデータがもはや法的に有効ではなく、すなわちもはや無効であることに気付く。デバイスが現在の位置が変わったことを識別し、すなわち位置検出器２１６がヘルシンキテーマのダイナミックサービスカード３５１ｂに関連するものとは異なる位置識別子を供給すると、デバイスは、どのサービスカードの更新が必要であるかを自動的にチェックする。本発明の幾つかの実施形態では、ダイナミックサービスカードは、カードの正確な位置識別子が位置検出器２１６によって供給された位置識別子とは異なる場合に、モバイル電子デバイス１１１のコントローラ２１４にカードをリフレッシュさせるよう要求するリフレッシュ識別子を含むことができる。このようなシステムでは、モバイル電子デイバス１１１は、無線送受信器２２９を介してＩＭＳシステムとしてのアプリケーションサーバーにコンタクトし、モバイル電子デバイス１１１がダイナミックサービスカード位置識別子の外部にある時は常に、位置識別子のテーマを含む更新されたダイナミックサービスカード３５１を取得する。例えば、ヘルシンキタクシーサービスに関する直接サービスカード３０１は、ユーザがニューヨークにいる時にはもはや有効ではない。従って、モバイル電子デバイス１１１は、ニューヨークの新しい場所にあるローカルタクシー会社のダイナミックサービスカードを要求してアクセスする。すなわち、タクシーサービス３０１に関するダイナミックサービスカードは、現在ではニューヨークタクシーサービスダイナミックサービスカード３０１ａである。ユーザがその第１位置３０２ｂに戻る場合、同様のプロセスが実行され、ニューヨークタクシーサービスダイナミックサービスカード３０１ａは、無効が宣告され、ユーザ装置にその場所内のタクシーサービスプロバイダへの更新を要求させる。
【００７６】
本発明の幾つかの実施形態では、モバイル電子デバイス１１１のユーザは、ローカルのタクシー会社のサービスカードにアクティブにアクセスし、これによりカードは適切なサービス会社の更新された情報を要求するよう指示される。従って、ヘルシンキからニューヨークに移動するユーザの上記の実施例では、モバイル電子デバイス１１１のメモリ２１２にヘルシンキタクシーサービスカード３０１ｂを記憶させておくことで、ローカルの、すなわちニューヨークタクシーサービスカード３０１ａを要求することができる。
【００７７】
本発明の別の実施形態では、会社／組織は、その従業員に対してローカルの緊急保険番号（ＩＭ番号）、ローカルの会社／組織オフィス、及び現在いるどこかの場所の指定ホテルなどの有用な情報を提供するよう望むことができる。このような実施形態では、モバイル電子デバイス１１１は、雇用主によってこのような情報が供給される。従って雇用主は、一連の位置として、或いは従業員のモバイルデバイスへのテーマに基づいて供給されるこの情報をアプリケーションサーバー上に保存する。
【００７８】
本発明の別の実施形態では、ユーザには、テーマの多くに対するダイナミックサービスカードを包含するデータベースを事前に提供することができる。このような実施形態では、例えばモバイル電子デバイス１１１は、モバイル電子デバイス１１１内に記憶されたキャッシュバージョンからオプションが選択されるので、ほとんどの状況においてどのダイナミックサービスカードを使用するかを選択するために、サーバーにアクセスして何らかの別のダイナミックサービスカードをダウンロードする必要はない。例えば、雇用主は、従業員が出張に出発する前に十分なダイナミックサービスカードをモバイル電子デバイス１１１に事前に供給することができる。従って、従業員は、新しいダイナミックサービスカードを要求するためにネットワークを呼び出す必要はなく、その結果雇用主に対して旅行の費用が低減される。
【００７９】
本発明の幾つかの実施形態でのユーザは、ユーザ定義パラメータ３０７を使用して特定の関心領域のサービスカードを更に定義することができる。例えばモバイル電子デバイス１１１のユーザは、Ｃｉｔｒｏёｎ車用のガレージのサービスカードを選択することができ、これは、関心領域、例えばＣｉｔｒｏёｎ車のオーナーズクラブを代表するオペレータによって提供されるサービスカードをアプリケーションサーバーから選択する。
【００８０】
更にユーザは、特定の組織からのサービスコンタクトカードのセットに申し込むよう決定することができる。例えばユーザは、フランス外務省、国連、グリーンピース（商標）、或いはＶｉｓａ（登録商標）、Ｓｔａｒ  Ａｌｌｉａｎｃｅ（登録商標）、又はＥｌｌｅ（登録商標）雑誌などの会社からのカードを申し込むよう希望することができる。
【００８１】
ユーザはまた、Ｓｔａｒｂｕｃｋｓ、Ｐｒａｄａ、Ｔｉｍｅｏｕｔ、Ｋｉｎｋｏ’ｓ、Ｆｉｎｎａｉｒ  Ｓｅｒｖｉｃｅ  Ｄｅｓｋなどの特定の会社のサービスコンタクトカードを記憶するよう希望することができる。この場合、情報源は、これらの会社によって管理される。本発明の他の実施形態では、情報源は、サードパーティ又は仲介サーバー上でこれらの会社によって管理される。これらの実施形態では、情報は、該情報が仲介会社に読み取れないようにするため仲介サーバー上で暗号化することができる。ユーザには、暗号化されたカードの情報を解読するためにキーが供給されることになる。
【００８２】
本発明の幾つかの実施形態では、ユーザは、そのユーザ定義パラメータに一連の申し込んだユーザサービスカードの値を記憶する。このような実施形態では、ユーザがその地理的な範囲に入ったことを通知する場合のアクセスサーバーは、ユーザ定義パラメータの申し込んだ値を要求することができ、アプリケーションサーバーメモリから申し込まれたリストに対するカードの全てをダウンロード又はアップロードする。
【００８３】
本発明の幾つかの実施形態では、ユーザは、その指定宛先の情報をプレロードして、到着の前にレビューするよう希望することができる。従って本発明の幾つかの実施形態では、ユーザは、位置検出器２１６の入力を必要とすることなく、サービスカードの新しいテーマのセットを要求することができる。本発明の他の実施形態では、ユーザは、言語などの位置以外のテーマ、或いはサービス提供もしくはサービス仲介者に基づいて新しいダイナミックサービスカードを選択することができる。
【００８４】
サービスカードを使用する上述の実施形態では、テーマに基づいたダイナミックサービスカードがハンドセットの利用性及び適合性が高くなるといった利点がある。更に情報はキャリアフレンドリーであり、その結果、該情報はサービスプロバイダ依存でないようになる。更に情報は、ユーザが現在そのコンタクトを管理している方法のスマートな拡張機能であり、従ってユーザに全く新しいシステムを学習させる必要がない。システムは更に、ユーザからコンテクストに無関係な情報を隠す。
【００８５】
実施形態はまた、このサービスを提供するよう既に希望している既知のブランドに対して構築され、ユーザは信用のあるパートナー又はネットワーク又はサービスを使用することにより恩恵を受ける。
【００８６】
テーマが時間テーマである本発明の別の実施形態では、電子デバイスは、時間テーマのサービスをダウンロードすることができ、又は該サービスの通知を受け取ることができる。例えば、「午後３時前」というテーマのダイナミックサービスカードは、コンタクトされることになるサービスデスクが午後３時前のサービスデスク「Ａ」であることを示すことができ、「午後３時後」というテーマのダイナミックサービスカードは、コンタクトされることになるサービスデスクが午後３時後のサービスデスク「Ｂ」であることを示すことができる。
【００８７】
テーマが時間及び位置の両方に向けられた本発明の別の実施形態では、電子デバイスは、時間／位置のテーマのサービスをダウンロードすることができ、又は該サービスの通知を受け取ることができる。例えば、「イタリアで午後３時前」というテーマのダイナミックサービスカードは、コンタクトされることになるサービスデスクがサービスデスク「イタリアＡ」であることを示しており、「イタリアで午後３時後」というテーマのダイナミックサービスカードは、コンタクトされることになるサービスデスクがサービスデスク「イタリアＢ」であることを示している。
【００８８】
本発明の幾つかの実施形態では、モバイル電子デバイスを動作させるユーザは、サーバーからの幾つかのテーマカードを選択又は受信ですることができ、次いで、受信されたカードの１つを選択して記憶することができる。本発明の他の実施形態では、ユーザは供給されたテーマコンタクトカードを廃棄することができる。ユーザがカードの１つを廃棄するこのような実施形態では、モバイル電子デバイスは、ユーザが選択したパラメータ内の別のカードをダウンロードすることができ、又は該カードの通知を受け取ることができる。
【００８９】
本発明の実施形態を種々の実施例を参照しながら上記段落で説明してきたが、所与の実施例に対する修正を本発明の精神及び範囲から逸脱することなく行うことができる点は理解されたい。
【図面の簡単な説明】
【００９０】
【図１】本発明を適用することができる通信システムを示す。
【図２】図１に示されるような通信システム内で動作できる電子デバイスを示す。
【図３】本発明の１つの実施形態の方法を示す。
【符号の説明】
【００９１】
３０１  タクシーサービス
３０１ａ  第２位置
３０２ｂ  第１位置
３０３  医師サービス
３０５  クレジットカードサービス
３５１  ダイナミックサービスカード
【図１】
2007521722.tif 000003
【図２】
2007521722.tif 000004
【図３】
2007521722.tif 000005
【国際調査報告】
2007521722.tif 000006
2007521722.tif 000007
2007521722.tif 000008